(57)【要約】      （修正有）【課題】座面をより効率的に上昇させることができる診療用椅子を提供する。【解決手段】昇降可能に設けられ、患者を下方から支持する座面２ｇと、前記座面を下方から支持する支持部であって、当該床面よりも下方に位置し横方向に延びる回転軸６１を中心に回転可能に設けられた支持部と、前記回転軸のまわりを移動可能に設けられ、前記支持部を当該回転軸まわりに回転させて前記座面を上昇させるための駆動力を受ける駆動力受け部７３と、前記駆動力受け部への駆動力の伝達を行う伝達部であって、前記座面の上昇に伴い床面に対する傾きが大きくなる伝達部７４と、を備える。【選択図】図５
2020185142.tif 000002
【特許請求の範囲】
【請求項１】
昇降可能に設けられ、患者を下方から支持する座面と、
前記座面を下方から支持する支持部であって、当該座面よりも下方に位置し横方向に延びる回転軸を中心に回転可能に設けられた支持部と、
前記回転軸のまわりを移動可能に設けられ、前記支持部を当該回転軸まわりに回転させて前記座面を上昇させるための駆動力を受ける駆動力受け部と、
前記駆動力受け部への駆動力の伝達を行う伝達部であって、前記座面の上昇に伴い床面に対する傾きが大きくなる伝達部と、
を備える診療用椅子。
【請求項２】
前記伝達部は、前記座面の上昇に伴い上昇する前記駆動力受け部によってその一部が上方に引き上げられて床面に対する傾きが大きくなる請求項１に記載の診療用椅子。
【請求項３】
前記伝達部に供給される駆動力を発生する駆動源をさらに備え、
前記駆動源は、傾きが大きくなる前記伝達部に対して取り付けられ、当該伝達部に対する当該駆動源の姿勢が一定に保たれる請求項１に記載の診療用椅子。
【請求項４】
前記伝達部は、床面に対する角度が大きくなる際、伝達部回転中心を中心に回転して床面に対する角度が大きくなり、
前記座面が最も下降した下降状態から最も上昇した上昇状態になるまでの、前記回転軸を回転中心とした前記駆動力受け部の回転角度よりも、当該下降状態から当該上昇状態になるまでの、前記伝達部回転中心を回転中心とした前記伝達部の回転角度の方が小さい請求項１に記載の診療用椅子。
【請求項５】
前記座面が最も下降した下降状態では、前記伝達部が水平方向に沿っている請求項１に記載の診療用椅子。
【発明の詳細な説明】
【技術分野】
【０００１】
本発明は、診療用椅子に関する。
【背景技術】
【０００２】
特許文献１には、患者を支持する診療シートと、診療シートに固定されるベースンポールとを備えた歯科診療装置が開示されている。
【先行技術文献】
【特許文献】
【０００３】
【特許文献１】特開平１０−３３５６９号公報
【発明の概要】
【発明が解決しようとする課題】
【０００４】
歯科などに用いられる診療用椅子では、その座面が上下動する構造となっていることが多く、この場合、患者の体格等に応じて座面の位置を調整できる。ここで、駆動源からの力が座面に伝わりにくい構造であると、座面を上昇させる際の効率が低下する。
本発明の目的は、座面をより効率的に上昇させることができる診療用椅子を提供することにある。
【課題を解決するための手段】
【０００５】
かかる目的のもと、本発明が適用される診療用椅子は、昇降可能に設けられ、患者を下方から支持する座面と、前記座面を下方から支持する支持部であって、当該座面よりも下方に位置し横方向に延びる回転軸を中心に回転可能に設けられた支持部と、前記回転軸のまわりを移動可能に設けられ、前記支持部を当該回転軸まわりに回転させて前記座面を上昇させるための駆動力を受ける駆動力受け部と、前記駆動力受け部への駆動力の伝達を行う伝達部であって、前記座面の上昇に伴い床面に対する傾きが大きくなる伝達部と、を備える診療用椅子である。
【０００６】
ここで、前記伝達部は、前記座面の上昇に伴い上昇する前記駆動力受け部によってその一部が上方に引き上げられて床面に対する傾きが大きくなることを特徴とすることができる。
また、前記伝達部に供給される駆動力を発生する駆動源をさらに備え、前記駆動源は、傾きが大きくなる前記伝達部に対して取り付けられ、当該伝達部に対する当該駆動源の姿勢が一定に保たれることを特徴とすることができる。
また、前記伝達部は、床面に対する角度が大きくなる際、伝達部回転中心を中心に回転して床面に対する角度が大きくなり、前記座面が最も下降した下降状態から最も上昇した上昇状態になるまでの、前記回転軸を回転中心とした前記駆動力受け部の回転角度よりも、当該下降状態から当該上昇状態になるまでの、前記伝達部回転中心を回転中心とした前記伝達部の回転角度の方が小さいことを特徴とすることができる。
また、前記座面が最も下降した下降状態では、前記伝達部が水平方向に沿っていることを特徴とすることができる。
【発明の効果】
【０００７】
本発明によれば、座面をより効率的に上昇させることができる診療用椅子を提供することができる。
【図面の簡単な説明】
【０００８】
【図１】歯科用診療装置の全体構成を示した斜視図である。
【図２】図１の矢印II方向から診療用椅子を眺めた場合の図である。
【図３】図２にて符号IIIで示す部分の内部構造を示した図である。
【図４】図４は、図３の矢印IV方向から昇降機構の一部を見た場合の図である。
【図５】座面が上昇した後の昇降機構を示した図である。
【図６】昇降機構の比較例を示した図である。
【発明を実施するための形態】
【０００９】
以下、添付図面を参照して、本発明の実施形態について説明する。
図１は、本実施形態にかかる歯科用診療装置１の全体構成を示した斜視図である。
同図に示すように、本実施形態の歯科用診療装置１では、床面の上に、患者を下方から支持する診療用椅子２が設けられている。
なお、本実施形態では、歯科にて用いられる診療用椅子２を説明するが、本実施形態の診療用椅子２は、歯科に限らず、耳鼻科、内科等の他の科の診療に用いてもよい。
【００１０】
診療用椅子２は、昇降可能に設けられた座板２ｂを備える。座板２ｂの上面は、座面２ｇとなっており、本実施形態では、患者が診療用椅子２に座ると、患者の臀部がこの座面２ｇにより下方から支持される。
さらに、診療用椅子２の下方には、座面２ｇを昇降させる昇降機構２ａが設けられている。
【００１１】
さらに、診療用椅子２には、一端が座板２ｂに取り付けられこの一端を中心に回転する背板２ｃ、背板２ｃに取り付けられ患者の頭を支えるヘッドレスト２ｄが設けられている。
また、座板２ｂを挟み、背板２ｃとは反対側には、患者の脚部を下方から支持する脚部支持部２ｅが設けられている。
なお、図１では、背板２ｃが寝た状態となっているが、患者が診療用椅子２に座る際には、背板２ｃは起立した状態となっている。そして、患者が診療用椅子２に座ると、医師等からの指示に応じて背板２ｃが倒れ、背板２ｃは寝た状態となる。
【００１２】
また、歯科用診療装置１には、診療用椅子２の脇に、医師用のトレーテーブル３が設けられ、さらに、医師用のインスツルメントホルダ１０が設けられている。
さらに、診療用椅子２を挟みトレーテーブル３の反対側には、アシスタント用のインスツルメントホルダ４が設けられている。
また、患者の口腔への光照射を行う歯科用照明装置１００、歯科用照明装置１００を支持するアーム６ｂ、アーム６ｂを支持する支柱６ｃが設けられている。
【００１３】
なお、医師用のインスツルメントホルダ１０及びアシスタント用のインスツルメントホルダ４には、歯科用の診療用器具（インスツルメント）１１が抜差し自在に保持される（図１では、アシスタント用の診療用器具１１のみを図示）。
医師用の診療用器具１１としては、例えば、エアタービンハンドピース、マイクロモータハンドピース、スケーラ、スリーウェーシリンジ、根管長測定器、根管拡大器、口腔内カメラを挙げることができる。
【００１４】
また、アシスタント用の診療用器具１１としては、例えば、患者の口腔内の唾液、血液、切削屑など（以下、「廃液」と称することがある）を吸引する吸引用器具２０を挙げることができる。
なお、図１では、インスツルメントホルダ４によって、吸引用器具２０の一例としてのサクションシリンジ（バキュームシリンジ）２１、サライバエジェクタ２２が支持されている。
吸引用器具２０の各々は、真空ポンプやコンプレッサーなどの不図示の吸気源（後述）に接続されており、この吸気源にて吸気が行われることで、上記廃液の吸引を行う。
【００１５】
また、本実施形態では、診療用椅子２の脇に、患者がうがいに用いるコップに水を供給する供給装置（スピットン装置）５が設けられている。
供給装置５には、ベースユニット５１、患者の口腔内から排出された廃液を受ける廃液受け部（ベースン）５２、コップに対し水を供給するコップ用給水部５３、清掃用の水を廃液受け部５２に供給する清掃用給水部５４が設けられている。
【００１６】
さらに、供給装置５には、ベースユニット５１の内部に、廃液を収容する収容容器（サクションタンク）６０が設けられている。
収容容器６０には、上記吸引用器具２０（サクションシリンジ２１、サライバエジェクタ２２等）によって吸引された廃液（患者の口腔内から吸引された廃液）が収容される。
【００１７】
図２は、図１の矢印II方向から診療用椅子２を眺めた場合の図である。
なお、図２では、図１にて示したヘッドレスト２ｄの図示を省略している。また、図２では、背板２ｃが起立した状態を示している。
本実施形態では、座面２ｇの下方に、この座面２ｇを昇降させる昇降機構２ａが設けられている。この昇降機構２ａは、モータ（後述）を備え、このモータを駆動して座面２ｇを昇降させる。
【００１８】
図３は、図２にて符号IIIで示す部分の内部構造を示した図である。また、図４は、図３の矢印IV方向から（図３の紙面の奥側から且つ上方から）昇降機構２ａの一部を見た場合の図である。
図３に示すように、本実施形態の昇降機構２ａには、座面２ｇを下方から支持する支持部（支持部材）４０が設けられている。
なお、支持部４０による座面２ｇ（図２参照）の支持態様としては、支持部４０が座面２ｇを直接支持する態様に限らず、支持部４０と座面２ｇとの間に他の部材を介在させ、支持部４０がこの他の部材を介して座面２ｇを支持する態様も含む。
【００１９】
図３にて示す支持部４０は、支持部４０の長手方向と直交する面における断面の形状が、Ｕ字状となっている。また、支持部４０は、座面２ｇが設けられている上方側から斜め下方に向かって延びるように設けられている。
さらに、本実施形態では、座面２ｇよりも下方に位置し、横方向（水平方向）に延びる第１回転軸６１が設けられている。支持部４０は、この第１回転軸６１を中心に回転する。
【００２０】
さらに、本実施形態では、床面に沿って配置される板状の台座７１、および、台座７１から上方に向かって延び且つ互いに対向配置された第１支持フレーム７２１、第２支持フレーム７２２が設けられている。
本実施形態では、第１回転軸６１の端部が、この第１支持フレーム７２１、第２支持フレーム７２２により支持されている。
【００２１】
さらに、本実施形態では、駆動源の一例としてのモータＭが設けられている。本実施形態では、このモータＭによって座面２ｇが昇降する。
さらに、本実施形態では、座面２ｇを昇降させるための駆動力（モータＭからの駆動力）を受ける駆動力受け部７３が設けられている。
さらに、モータＭからの駆動力を駆動力受け部７３に伝達する伝達部７４が設けられている。
【００２２】
駆動力受け部７３は、第１回転軸６１のまわりを移動可能に設けられている。駆動力受け部７３は、支持部４０を第１回転軸６１まわりに回転させて座面２ｇを上昇させる。
本実施形態では、支持部４０に取り付けられ、下方に向かって突出した突出部７５が設けられている。本実施形態では、この突出部７５の突出方向における先端部に、駆動力受け部７３が設けられている。
【００２３】
駆動力受け部７３は、内周面に雌ねじが形成された円筒状部材により構成されており、駆動力受け部７３は、この雌ねじの部分にて、伝達部７４からの駆動力を受ける。
また、本実施形態では、筒状の駆動力受け部７３の軸方向と直交する方向に沿った回転軸７３Ａ（図５参照）を中心に、駆動力受け部７３が回転可能となっている。付言すると、駆動力受け部７３は、突出部７５に対する回転が可能になっている。
これにより、本実施形態では、伝達部７４の傾きが大きくなったとしても（後述）、伝達部７４と駆動力受け部７３とが同軸上に配置された状態が保たれる。
【００２４】
図３にて示す伝達部７４は、螺旋状の雄ねじが外周面に形成された円柱状のシャフトにより構成されている。
図３において、伝達部７４の図中右端部には、横方向（水平方向）に延びる第２回転軸６２（以下、「伝達部回転中心６２Ｘ」と称する）が設けられており、本実施形態では、伝達部７４は、この伝達部回転中心６２Ｘを中心に回転する。
【００２５】
さらに、本実施形態では、第３回転軸６３、第４回転軸６４（図３では不図示）を中心に回転可能に設けられた回転部材７６１が設けられている。回転部材７６１は、回転部材７６１の長手方向と直交する面における断面の形状が、Ｕ字状となっている。
図４に示すように、回転部材７６１は、伝達部７４側に位置する端部に、第１突出部７６１Ａ、第２突出部７６１Ｂを有する。
第１突出部７６１Ａは、第１支持フレーム７２１と一方の突出部７５との間に配置されている。第２突出部７６１Ｂは、第２支持フレーム７２２と他方の突出部７５との間に配置されている。
本実施形態では、第１突出部７６１Ａは、第３回転軸６３（図３参照）により回転可能な状態で支持され、第２突出部７６１Ｂは、第４回転軸６４（第３回転軸６３（図３参照）と同軸上に配置された回転軸）により回転可能な状態で支持されている。
【００２６】
図３に示すように、回転部材７６１は、支持部４０の下方に配置されている。また、回転部材７６１は、支持部４０と平行となる状態で配置されている。
さらに、図３に示すように、本実施形態では、支持部４０、回転部材７６１の図中左端部に、固定部材７７が固定されている。本実施形態では、この固定部材７７の上方に、座面２ｇ（図２参照）が設けられている。
【００２７】
固定部材７７は、第５回転軸６５、第６回転軸６６を介して、支持部４０、回転部材７６１に固定されている。
これにより、本実施形態では、支持部４０、回転部材７６１に対する固定部材７７の姿勢の変化が可能になっている。
【００２８】
本実施形態では、図３にて示すモータＭによって、伝達部７４が周方向に回転し、これに伴い、駆動力受け部７３が図中矢印３Ａに示す方向へ移動する。
駆動力受け部７３が矢印３Ａに示す方向へ移動すると、第１回転軸６１を中心に、支持部４０が、図中矢印３Ｂで示す方向へ回転する。支持部４０が矢印３Ｂで示す方向へ回転すると、固定部材７７が上昇し、これに伴い座面２ｇが上昇する。
【００２９】
なお、本実施形態では、支持部４０が回転しても、支持部４０と回転部材７６１とが平行である状態が保たれる。
これにより、本実施形態では、固定部材７７は、床面に対する姿勢を保った状態で上昇するようになり、この場合、座面２ｇは、水平状態を保ったまま上昇する。
なお、座面２ｇを下降させる場合には、モータＭを逆転させる。
【００３０】
図５は、座面２ｇが上昇した後の昇降機構２ａを示した図である。
座面２ｇが上昇する場合、本実施形態では、伝達部７４の一部（図中左端部）が、上昇する駆動力受け部７３によって上方に引き上げられる。
これにより、本実施形態では、図５に示すように、床面に対する伝達部７４の傾きが大きくなる。
【００３１】
付言すると、本実施形態では、座面２ｇが上昇する前の状態では（座面２ｇが最も下降した下降状態では）、図３、４に示すように、伝達部７４は、水平方向に沿っている（床面に沿っている）。
座面２ｇが上昇すると、床面に対する伝達部７４の傾きが大きくなり、伝達部７４は、床面に対して傾斜する。
【００３２】
ここで、伝達部７４を上記のように傾けるには、例えば、伝達部７４を傾けるための専用の駆動源を用意し、この駆動源で伝達部７４の一部を上昇させる態様も考えられる。ところで、この態様では、コストの増大を招いたり、装置の大型化を招いたりする。
これに対し、本実施形態のように、駆動力受け部７３で伝達部７４の一部を持ち上げて、伝達部７４を傾ける構成では、専用の駆動源を用意せずに済み、コストの低減や、装置の小型化を図れる。
【００３３】
さらに、本実施形態のように、座面２ｇが最も下降した下降状態にて、伝達部７４が水平方向に沿った状態で配置されると、伝達部７４が傾斜する場合に比べ、図２にて符号２Ｈで示す部分における寸法を小さくできる。
符号２Ｈで示す部分における寸法を小さくできる場合、脚部支持部４０２ｅをより下方に近づけられるようになり、この場合、患者が診療用椅子２に座りやすくなる。
【００３４】
さらに、本実施形態では、図５に示すように、第１回転軸６１を回転中心とした駆動力受け部７３の回転角度αよりも、伝達部回転中心６２Ｘを回転中心とした伝達部７４の回転角度βの方が小さくなっている。
【００３５】
付言すると、座面２ｇが最も下降した下降状態から最も上昇した上昇状態になるまでの、第１回転軸６１を回転中心とした駆動力受け部７３の回転角度を、回転角度αとする。
また、下降状態から上昇状態になるまでの、伝達部回転中心６２Ｘを回転中心とした伝達部７４の回転角度を、回転角度βとする。
【００３６】
この場合、本実施形態では、駆動力受け部７３の回転角度αよりも、伝達部７４の回転角度βの方が小さくなっている。
このように、伝達部７４の回転角度βの方が小さい場合、上記と同様、図２にて符号２Ｈで示す部分における寸法を小さくできる。そして、この場合、上記と同様、脚部支持部４０２ｅをより下方に近づけられるようになり、患者が診療用椅子２に座りやすくなる。
【００３７】
さらに、本実施形態では、図５に示すように、モータＭは、伝達部７４に対して取り付けられており、本実施形態では、伝達部７４の傾きが変化し、伝達部７４の姿勢が変化しても、伝達部７４に対するモータＭの姿勢は一定に保たれる。
ここで、例えば、モータＭが、床面に対して固定されていると、モータＭに対して伝達部７４が相対移動する形となり、モータＭから伝達部７４へ駆動力を伝達する伝達機構が複雑化しやすい。
これに対して、本実施形態のように、モータＭが伝達部７４に対して取り付けられていると、モータＭと伝達部７４との間に、例えば、固定された構造のギアを設置でき、構成の簡素化を図れる。
【００３８】
本実施形態の構成（伝達部７４の傾きが大きくなる構成では）では、座面２ｇをより効率的に上昇させられる。
ここで、図６（昇降機構２ａの比較例を示した図）の（Ａ）、（Ｂ）に示す比較例のように、昇降機構２ａの構成として、伝達部７４の傾きが大きくならない構成も考えらえる。
この比較例では、伝達部７４が、常に、水平方向に沿って配置され、また、突出部７５に対する駆動力受け部７３の移動が可能になっている。より具体的には、この比較例では、突出部７５に溝９９が形成され、駆動力受け部７３は、この溝９９に沿った移動が可能になっている。
【００３９】
この比較例では、図６（Ｂ）に示すように、座面２ｇ（図６（Ｂ）では不図示）が上昇すると、伝達部７４と突出部７５とのなす角度θが小さくなり、突出部７５に対し、図中６Ａで示す方向（突出部７５の突出方向と直交する方向）へ作用する荷重が作用しにくくなる。付言すると、この比較例では、伝達部７４から突出部７５へ、力が伝わりにくくなる。
【００４０】
これに対し、本実施形態のように、伝達部７４の傾きが大きくなる構成では、図６にて示した比較例に比べ、突出部７５に作用する荷重であって、突出部７５の突出方向と直交する方向へ作用する荷重が大きくなる。
この場合、伝達部７４から突出部７５へ力が伝わりやすくなり、座面２ｇが上昇しやすくなる。付言すると、この場合、より少ない力で、座面２ｇを上昇させられるようになる。
【符号の説明】
【００４１】
２…診療用椅子、２ｇ…座面、４０…支持部、６１…第１回転軸、７３…駆動力受け部、７４…伝達部
【図１】
2020185142.tif 000003
【図２】
2020185142.tif 000004
【図３】
2020185142.tif 000005
【図４】
2020185142.tif 000006
【図５】
2020185142.tif 000007
【図６】
2020185142.tif 000008